(57)【要約】【課題】  隙間なく収容された容器であっても安全でしかも簡単に取り出すことができるようにする。【解決手段】  フォーク部材１２のフォーク１３をＬＰＧボンベ１のくびれ部３に挿入し、フック１７をバルブ部４に引っ掛け、車輪１８を支点として支柱部１４を傾動させ、ＬＰＧボンベ１を持ち上げて取り出すことで、隙間なく収容されたＬＰＧボンベ１であっても安全でしかも簡単に取り出すことができるようにする。【選択図】図８
2009196563.tif 000002
【特許請求の範囲】
【請求項１】
本体外周に係止部が形成された容器の前記係止部に嵌合されて前記本体を挟持するフォーク部材と、前記フォーク部材の基端部から立設される支柱部とを備え、
前記フォーク部材を前記本体の係止部に挿入した後、前記フォーク部材と前記支柱部との交点部位を支点として前記支柱部を傾動させることで前記容器を持ち上げる
ことを特徴とする容器支持台。
【請求項２】
請求項１に記載の容器支持台において、
前記フォーク部材と前記支柱部との交点部位に車輪を備えた
ことを特徴とする容器支持台。
【請求項３】
請求項１もしくは請求項２に記載の容器支持台において、
前記支柱部に前記本体を保持する保持手段を備えた
ことを特徴とする容器支持台。
【請求項４】
請求項３に記載の容器支持台において、
前記容器は液化石油ガスボンベであり、
前記係止部は液化石油ガスボンベの筒部下部の周方向に形成されたくびれ部であり、
前記フォーク部材は前記くびれ部に沿ったＵ字型をなし、前記筒部の周方向に対して平行状態に挿入されて前記筒部を挟持し、
前記保持手段は、前記支柱部に回動自在に支持され、前記液化石油ガスボンベのバルブ部に掛止されるフックである
ことを特徴とする容器支持台。
【発明の詳細な説明】
【技術分野】
【０００１】
本発明は、容器、例えば、液化石油ガスボンベ（ＬＰＧボンベ）を取り扱うための容器支持台に関する。
【背景技術】
【０００２】
工場等には各種バーナーの燃料として液化石油ガス（ＬＰＧ：Ｌｉｑｕｅｆｉｅｄ  Ｐｅｔｒｏｌｅｕｍ  Ｇａｓ）が使用されている。例えば、金属精錬工場では、金属溶湯を鋳型に送る際に、搬送経路での金属の凝固を防止するために、搬送路をガスバーナーにより加熱している。搬送路の加熱に用いられるバーナーの燃料として、ＬＰＧが使用されている。
【０００３】
ＬＰＧはＬＰＧボンベに充填され、ＬＰＧボンベは所定の収容庫等に立てて保管されている。限られたスペースに多くのＬＰＧボンベを収容するために、ＬＰＧボンベは収容庫の内部に隙間なく収容されている。ＬＰＧボンベは１００ｋｇ程度の重量物であるため、所定の場所に移動させる際には、保管されているＬＰＧボンベを作業員が取り出してＬＰＧボンベを傾けて回転させながら所定の場所まで移動させている。または、周知の手押し台車（例えば、特許文献１参照）に載せて所定の場所まで移動させている。
【０００４】
ＬＰＧボンベは隙間なく収容されているため、取り扱いが不便であり、特に、フルに収容されている状態から最初１本目を抜き出す際には、上部のバルブ部を持って手前に倒してから引き出す、といった大変な労力を要する作業となっている。また、隣接するＬＰＧボンベとの間で手を挟むことも考えられ、大変な労力に加え危険が伴う作業となっていた。
【０００５】
【特許文献１】特開２００６−１９９１６４号公報
【発明の開示】
【発明が解決しようとする課題】
【０００６】
本発明は上記状況に鑑みてなされたもので、隙間なく収容された容器であっても安全でしかも簡単に取り出すことができる容器支持台を提供することを目的とする。
【課題を解決するための手段】
【０００７】
上記目的を達成するための請求項１に係る本発明の容器支持台は、本体外周に係止部が形成された容器の前記係止部に嵌合されて前記本体を挟持するフォーク部材と、前記フォーク部材の基端部から立設される支柱部とを備え、前記フォーク部材を前記本体の係止部に挿入した後、前記フォーク部材と前記支柱部との交点部位を支点として前記支柱部を傾動させることで前記容器を持ち上げることを特徴とする。
【０００８】
請求項１に係る本発明では、フォーク部材を容器の係止部に挿入して嵌合させた後、支柱部を傾動させ、てこの作用により容器を持ち上げることで容器を取り出す。このため、隙間なく収容された容器であっても安全でしかも簡単に取り出すことが可能になる。
【０００９】
そして、請求項２に係る本発明の容器支持台は、請求項１に記載の容器支持台において、前記フォーク部材と前記支柱部との交点部位に車輪を備えたことを特徴とする。
【００１０】
請求項２に係る本発明では、容器を持ち上げた後、車輪を用いて容器を簡単に取り出すことができると共に、そのまま所定の場所まで搬送することができる。
【００１１】
また、請求項３に係る本発明の容器支持台は、請求項１もしくは請求項２に記載の容器支持台において、前記支柱部に前記本体を保持する保持手段を備えたことを特徴とする。
【００１２】
請求項３に係る本発明では、容器を持ち上げる際に保持手段により容器を支柱に保持させることができる。
【００１３】
また、請求項４に係る本発明の容器支持台は、請求項３に記載の容器支持台において、前記容器は液化石油ガスボンベであり、前記係止部は液化石油ガスボンベの筒部下部の周方向に形成されたくびれ部であり、前記フォーク部材は前記くびれ部に沿ったＵ字型をなし、前記筒部の周方向に対して平行状態に挿入されて前記筒部を挟持し、前記保持手段は、前記支柱部に回動自在に支持され、前記液化石油ガスボンベのバルブ部に掛止されるフックであることを特徴とする。
【００１４】
請求項４に係る本発明では、液化石油ガスボンベのくびれ部にフォーク部材を挿入し、フックをバルブ部に掛止することで支柱部に保持し、支柱部を傾けることで、てこの作用によりくびれ部を介して液化石油ガスボンベを持ち上げて取り出すことができる。
【発明の効果】
【００１５】
本発明の容器支持台は、隙間なく収容された容器であっても安全でしかも簡単に取り出すことが可能になる。
【発明を実施するための最良の形態】
【００１６】
図１には本発明の一実施形態例に係る容器支持台の全体の外観、図２にはフォーク部の外観、図３には受け部の外観、図４にはフックを掛けた際の外観、図５〜図８にはＬＰＧボンベを取り出す際の動作状況を示してある。
【００１７】
本実施形態例は、液化石油ガスボンベ（ＬＰＧボンベ）の取り出し及び搬送を行なう場合に適用した例を示してある。ＬＰＧボンベ１には石油ガスを冷却して液化されたものが充填され、本体である筒部２の下方には周方向にくびれ部３が設けられている。
【００１８】
図１〜図４に基づいて容器支持台を説明する。
容器支持台１１は、容器であるＬＰＧボンベ１の係止部であるくびれ部３に嵌合されて筒部２を挟持するフォーク部材１２を備えている。フォーク部材１２は、くびれ部３に沿ったＵ字型のフォーク１３を有し、フォーク１３は、筒部２の周方向に対して平行状態にくびれ部３に挿入される。
【００１９】
フォーク部材１２の基端部には支柱部１４が立設され、支柱部１４の上方にはＬＰＧボンベ１の筒部２を受ける受け枠１５が設けられている。受け枠１５にはＬＰＧボンベ１の筒部２に沿った円弧状の受け部１６が設けられている。フォーク部材１２に対して支柱部１４は９０度よりも大きい角度で立設され（図５参照）、受け枠１５はフォーク部材１２に対して平行になるように支柱部１４に設けられている（図５参照）。そして、フォーク部材１２の基端部と受け枠１５の受け部１６の位置が上下方向で一致した位置になっている（図５参照）。
【００２０】
尚、フォーク部材１２に対して支柱部１４を略９０度の角度に設定して設け、ＬＰＧボンベ１の筒部２を受ける部位を支柱部１４に直接設けることも可能である。
【００２１】
受け枠１５には上アーム１９が設けられ、上アーム１９には保持手段としてレバー部材により回動する環状のフック１７が回動自在に備えられている。ＬＰＧボンベ１の筒部２が受け枠１５の受け部１６に支持された際に、レバー部材を介してフック１７を回動させることによりフック１７はＬＰＧボンベ１のバルブ部４に引っ掛けることで掛止されるようになっている。これにより、ＬＰＧボンベ１が支柱部１４に保持された状態にされる。そして、支柱部１４の下端部、即ち、フォーク部材１２と支柱部１４の交点部位には車輪１８が設けられ、車輪１８を中心に容器支持台１１が傾動自在とされている。
【００２２】
上述した容器支持台１１はＬＰＧボンベ１を取り出し・搬送することを想定して構成されているが、支持・搬送する容器はＬＰＧボンベ１に限られるものではない。フォーク部材１２を嵌合させる係止部は、対象とする容器により様々であり、フック等が設けられた容器であればフックにフォーク部材１２を挿入して嵌合することも可能である。対象とする容器がＬＰＧボンベ１であれば、既存のくびれ部３を係止部とすることができる。
【００２３】
上記構成の容器支持台１１によるＬＰＧボンベ１の取り出し及び搬送の作用を図５〜図８に基づいて説明する。図５はＬＰＧボンベ１にフォーク部材１２のフォーク１３を挿入した状態の側面視であり、図６は図５の正面視、図７は図５の平面視である。また、図８はＬＰＧボンベ１を取り出した状態（傾けた状態）の側面視である。
【００２４】
図６に示すように、ＬＰＧボンベ１は所定の収容庫等に隙間なく立てて保管されている。図５〜図７に示すように、容器支持台１１を移動させることでフォーク部材１２のフォーク１３をくびれ部３に挿入する。この状態で、ＬＰＧボンベ１の筒部２が受け枠１５の円弧状の受け部１６に支持され、フック１７を回動させてＬＰＧボンベ１のバルブ部４に引っ掛けることで掛止される。これにより、ＬＰＧボンベ１が容器支持台１１に倒れが防止された状態で保持される。
【００２５】
容器支持台１１にＬＰＧボンベ１を保持した状態で、車輪１８を中心に容器支持台１１を傾動させることで、図８に示すように、てこの作用によりＬＰＧボンベ１が持ち上げられる。車輪１８を介して容器支持台１１を引き出すことで、ＬＰＧボンベ１を取り出すことができる。
【００２６】
このため、隙間なく立てて保管されているＬＰＧボンベ１（特に最初の１本目）を、多大な労力を要することなく、しかも、隣接するＬＰＧボンベ１との間に手を挟んだりする危険が全くない状態で、簡単に取り出すことができる。
【００２７】
容器支持台１１を引き出してＬＰＧボンベ１を取り出した後、必要に応じて車輪１８を介して搬送する。容器支持台１１に車輪１８が設けられているので、ＬＰＧボンベ１の取り出しが容易になると同時に、台車への載せ変えや作業者による転がしての搬送が不要になり、運搬作業を楽に行うことができる。
【００２８】
上述した容器支持台１１を用いることにより、隙間なく収容されたＬＰＧボンベ１であっても安全でしかも簡単に取り出すことができ、しかも、運搬作業が極めて容易になる。特に、金属の精錬工場で、最終的に鋳型に溶湯を送り込む場所等で、溶湯の搬送路を加熱するためのバーナーの燃料としてＬＰＧを用いる場合、頻繁に多くのＬＰＧボンベ１の交換が必要になるので、上述した容器支持台１１を用いることが有用となる。
【産業上の利用可能性】
【００２９】
本発明は、容器、例えば、液化石油ガスボンベ（ＬＰＧボンベ）を取り扱うための容器支持台の産業分野で利用することができる。
【図面の簡単な説明】
【００３０】
【図１】本発明の一実施形態例に係る容器支持台の全体の外観図である。
【図２】フォーク部の外観図である。
【図３】受け部の外観図である。
【図４】フックを掛けた際の外観図である。
【図５】ＬＰＧボンベを取り出す際の動作状況図である。
【図６】ＬＰＧボンベを取り出す際の動作状況図である。
【図７】ＬＰＧボンベを取り出す際の動作状況図である。
【図８】ＬＰＧボンベを取り出す際の動作状況図である。
【符号の説明】
【００３１】
１  液化石油ガスボンベ（ＬＰＧボンベ）
２  筒部
３  くびれ部
４  バルブ部
１１  容器支持台
１２  フォーク部材
１３  フォーク
１４  支柱部
１５  受け枠
１６  受け部
１７  フック
１８  車輪
１９  上アーム
【図２】
2009196563.tif 000003
【図３】
2009196563.tif 000004
【図４】
2009196563.tif 000005
【図５】
2009196563.tif 000006
【図６】
2009196563.tif 000007
【図７】
2009196563.tif 000008
【図８】
2009196563.tif 000009
【図１】
2009196563.tif 000010